(57)【特許請求の範囲】
【請求項１】
上部に洗浄室が形成された本体と、この洗浄室が開閉されるように昇降可能な扉とを有する食器洗浄装置において、
前記本体に鉛直方向に延びる態様で設置され、直交する２つの案内面を有する第１案内レールと、
前記扉に支軸を介して取り付けられ、前記第１案内レールの一方の案内面上を転動する第２転動ローラと、
前記本体に前記第２転動ローラの支軸の軸線と直交する軸線を有する支軸を介して取り付けられ、前記第１案内レールの他方の案内面上を転動し、前記第２転動ローラと協働して前記扉を昇降可能にする第３転動ローラと
を備え、
前記第１案内レールの他方の案内面に前記第２転動ローラの外形よりも大きく形成された交換用穴を形成したことを特徴とする食器洗浄装置。
【発明の詳細な説明】
【０００１】
【発明の属する技術分野】
本発明は、扉が本体に対し鉛直方向に移動して、本体に形成された洗浄室を開閉するいわゆるドアタイプの食器洗浄装置に係り、特に、扉の形状を改良した食器洗浄装置に関する。
【０００２】
【従来の技術】
一般に、ドアタイプの食器洗浄装置は、本体の上部に形成された洗浄室内の上下に、洗浄水ノズルとすすぎ水ノズルとが回転自在に配設され、洗浄室内に設置された食器などを、上記洗浄水ノズル、すすぎ水ノズルからそれぞれ噴射された洗浄水、すすぎ水によってそれぞれ洗浄し、すすぐものである。
【０００３】
この洗浄室は、本体に対し昇降自在に配設された図１１に示す扉１００により開閉される。この扉１００の外側には、図１２に示すように、扉１００の前面１００Ａから両側面１００Ｂ、１００Ｃに亘ってコ字形状に延在した把手１０１が配設される。この把手１０１は、その両端部が本体１０２の背板部１０３に枢支されると共に、扉１００に連結される。
【０００４】
扉１００の開閉は、操作者が把手１０１を持って扉１００を本体１０２に対し昇降させることによりなされる。ここで、上記扉１００は、内側に補強板１０４が固着されて強度の増大が図られている。
【０００５】
【発明が解決しようとする課題】
ところで、上述の扉１００では、前面１００Ａと側面１００Ｂとが交わる縁部１０５と、前面１００Ａと側面１００Ｃとが交わる縁部１０６とがそれぞれ直角形状に形成されている。このため、操作者が把手１０１の特にコーナ部１０７を持って扉１００を開閉する際に、把手１０１のコーナ部１０７と扉１００の縁部１０５、縁部１０６との隙間が小さいので、この隙間に手を挟む恐れがある。
【０００６】
本発明の目的は、上述の事情を考慮してなされたものであり、扉開閉時の安全性を確保できる食器洗浄装置を提供することにある。
【０００７】
【課題を解決するための手段】
請求項１に記載の発明は、上部に洗浄室が形成された本体と、この洗浄室が開閉されるように昇降可能な扉とを有する食器洗浄装置において、前記本体に鉛直方向に延びる態様で設置され、直交する２つの案内面を有する第１案内レールと、前記扉に支軸を介して取り付けられ、前記第１案内レールの一方の案内面上を転動する第２転動ローラと、前記本体に前記第２転動ローラの支軸の軸線と直交する軸線を有する支軸を介して取り付けられ、前記第１案内レールの他方の案内面上を転動し、前記第２転動ローラと協働して前記扉を昇降可能にする第３転動ローラとを備え、前記第１案内レールの他方の案内面に前記第２転動ローラの外形よりも大きく形成された交換用穴を形成したことを特徴とするものである。
【０００９】
請求項１に記載の発明には、次の作用がある。
【００１０】
扉の縁部に面取り加工が施されたことから、扉の外側に取り付けられて扉の開閉に供される把手のコーナ部と上記扉の縁部との隙間を十分大きく設定できるので、把手を持って扉を開閉する操作者の手が、把手と扉との隙間に挟まれることがなく、扉開閉時の安全性を確保できる。
【００１１】
請求項２に記載の発明には、次の作用がある。
【００１２】
扉の縁部の面取り加工が、複数回の折り曲げ加工によりなされたことから、この縁部の強度が増大し、従って、扉全体の強度及び剛性を向上させることができる。
【００１３】
【発明の実施の形態】
以下、本発明の実施の形態を、図面に基づき説明する。
【００１４】
図１は、本発明に係る食器洗浄装置の一実施の形態を示し、（Ａ）が正面図、（Ｂ）が側面図である。図２は、図１の食器洗浄装置を示す正面断面図である。
【００１５】
この図２に示す食器洗浄装置１０における本体１６の上部には、食器を収納可能な洗浄室１１が形成され、この洗浄室１１の下方に、洗剤が混入された洗浄水を貯溜する洗浄水タンク１２が配設される。また、本体１６の側方に、すすぎ水を貯溜するすすぎ水タンク１３が配置されている。洗浄水タンク１２内に洗浄水タンクヒータ（不図示）が設置されて、洗浄水が約６０℃に加熱され維持される。また、すすぎ水タンク１３内に図示しないすすぎ水タンクヒータが設置されて、すすぎ水が約８０℃に加熱され維持される。
【００１６】
洗浄水タンク１２の近傍には洗浄水ポンプ（不図示）が配置される。この洗浄水ポンプの稼動により、洗浄水タンク１２内の洗浄水は洗浄水導水管１４Ａを経て、洗浄室１１内の上下位置に配置された洗浄水ノズル１５へ導かれ、この洗浄水ノズル１５から洗浄室１１内へ噴射可能とされる。
【００１７】
また、すすぎ水タンク１３の近傍には図示しないすすぎ水ポンプが配置される。このすすぎ水ポンプの稼動により、すすぎ水タンク１３内のすすぎ水はすすぎ水導水管１４Ｂを経て、洗浄室１１内の上下位置に配置されたすすぎ水ノズル１７から噴射可能とされる。上記洗浄水導水管１４Ａ及びすすぎ水導水管１４Ｂは、本体１６の背板部２０（後述）に固定して取り付けられる。
【００１８】
上記洗浄水ノズル１５及びすすぎ水ノズル１７は同心状態で配置され、水平方向に回転可能に設けられる。洗浄水ノズル１５からの洗浄水の噴射時とすすぎ水ノズル１７からのすすぎ水の噴射時には、これらの洗浄水ノズル１５、すすぎ水ノズル１７がそれぞれ回転し、これにより、洗浄室１１内の棚（不図示）に載置された食器がそれぞれ良好に洗浄され、すすがれる。
【００１９】
洗浄室１１の下方には図示しないフィルタが設置されている。このフィルタは、洗浄水ノズル１５から噴射されて食器を洗浄した洗浄水と、すすぎ水ノズル１７から噴射されて食器をすすいだすすぎ水とをろ過し、これらを洗浄水タンク１２内へ導く。また、食器洗浄装置１０には、洗浄室１１を外部に対し開閉可能とする箱形状の扉１８が、本体１６に昇降可能に配設される。
【００２０】
つまり、扉１８は、図１に示すように、洗浄室１１の上面、前面及び両側面を画成し、本体１６の背板部２０に昇降自在に転動支持される。この背板部２０における図１（Ａ）の左右両側には、図２及び図７に示すように、案内部材としての第一案内レール２１が鉛直方向に延設される。また、扉１８における図１（Ａ）の左右両側面１８Ｂ、１８Ｃの内側にも、背板部２０に対応する位置に、案内部材としての第二案内レール２２（図２、図７）が鉛直方向に延設される。
【００２１】
更に、扉１８には、図２に示すように、第二案内レール２２の下部に、被案内部材としての第二転動ローラ３２及び第三転動ローラ３３が回転自在に配設される。また、本体１６の第一案内レール２１の上端部に、被案内部材としての第一転動ローラ３１が回転自在に配設される。
【００２２】
第二転動ローラ３２の回転軸としての支持軸２３と第三転動ローラ３３の回転軸としての支持軸２４とは、互いに直交して配設され、扉１８と第二案内レール２２との少なくとも一方に固着される。また、第一転動ローラ３１の回転軸としての支持軸２５は、支持軸２３と同一向きに配設される。図７に示すように、第二転動ローラ３２及び第三転動ローラ３３が本体１６の第一案内レール２１に接触して転動し、図９に示すように、第一転動ローラ３１が扉１８の第二案内レール２２に接触して転動することにより、扉１８が本体１６に対し円滑に昇降自在に構成される。
【００２３】
一方、図１に示すように、扉１８の外側には、この扉１８の前面１８Ａ及び両側面１８Ｂ、１８Ｃを囲むようにして、コ字形状の把手２６が配設される。この把手２６は、その両端部が本体１６の背板部２０に枢支されると共に、扉１８の側面１８Ｂ、１８Ｃに対応する部分が、連結バー２７を介してそれぞれ側面１８Ｂ、１８Ｃに連結される。この連結バー２７は、下端部が扉１８の側面１８Ｂ、１８Ｃにそれぞれ軸支され、上端部が把手２６に軸支される。この把手２６を操作者が把持して、扉１８が本体１６に対し昇降され、洗浄室１１が開閉される。
【００２４】
尚、図１中の符号１９は窓である。また、図２に示すアシストスプリング２８は、一端が本体１６の背板部２０に、他端が扉１８に支持され、扉１８が閉じたときに伸長状態で配設されて、扉１８の開操作時に、ばね復元力をアシスト力として扉１８に作用する。
【００２５】
さて、上記扉１８には、図５及び図６に示すように、前面１８Ａと側面１８Ｂ、１８Ｃとが交差する縁部２９及び３０に面取り部３４が形成される。この面取り部３４は、縁部２９、３０を２回折り曲げ加工することにより形成され、傾斜面３５が前面１８Ａ、側面１８Ｂ、１８Ｃに対し約４５度に設定される。この面取り部３４の形成により、把手２６のコーナ部３６と扉１８の縁部２９、３０との隙間は、操作者の手を挿通するに十分な大きさに設定される。
【００２６】
また、図３及び図４に示すように、前述の如く本体１６の背板部２０に設置された左右両第一案内レール２１には、第二転動ローラ３２が転動して鉛直方向に移動する領域の一部に交換用穴３７が開設される。この交換用穴３７は、図７に示すように、第二転動ローラ３２と中心をほぼ同一とし、第二転動ローラ３２の外径よりも大きく形成されて、第二転動ローラ３２を挿通可能とする。扉１８を図４に示すように上昇させて、扉１８の第二転動ローラ３２を本体１６の第一案内レール２１における交換用穴３７に一致させることにより、第二転動ローラ３２が交換用穴３７を介して扉１８の内部から見えることになり、この交換用穴３７を介し第二転動ローラ３２の交換が可能とされる。
【００２７】
また、図８及び図９に示すように、第一転動ローラ３１は、取付部材としても機能する第一案内レール２１の上端部に、支持軸２５を介して設置される。つまり、この第一案内レール２１の上端部には切欠き部３８が、上方に開口して形成される。
【００２８】
一方、支持軸２５は、図１０に示すように、ローラ支持部３９、位置決め部４０、嵌合部４１及びねじ部４２が順次一体化されたものとして構成される。ローラ支持部３９の外周に第一転動ローラ３１の内周が摺接して、第一転動ローラ３１が回転自在とされる。ローラ支持部３９の先端部にはピン４３が植設され、第一転動ローラ３１は、ワッシャ４４を介してピン４３により抜け止めされる。また、位置決め部４０は、ローラ支持部３９及び嵌合部４１よりも大きな寸法に設定され、ワッシャ４４を介して第一転動ローラ３１を位置決めする。
【００２９】
上記嵌合部４１は、第一案内レール２１の切欠き部３８に嵌合可能な平坦面形状に形成される。また、ねじ部４２にナット４５が螺合可能とされる。図９に示すように、支持軸２５の嵌合部４１を第一案内レール２１の切欠き部３８に嵌合し、支持軸２５のねじ部４２にナット４５を螺合し、支持軸２５の位置決め部４０とナット４５との間で第一案内レール２１を挟持することにより、支持軸２５が第一案内レール２１に固定して取り付けられる。
【００３０】
更に、支持軸２５の上記嵌合部４１の寸法Ｘは、図１０に示すように、隣接した他の部分（位置決め部４０及びねじ部４２）の外径よりも小さな寸法に形成される。これにより、支持軸２５の嵌合部４１を第一案内レール２１の切欠き部３８に嵌合させる際に、支持軸２５の位置決め部４０及びねじ部４２が切欠き部３８に嵌合せず、ガイドとなって嵌合部４１を切欠き部３８に導き、この嵌合部４１のみを切欠き部３８に確実に嵌合させる。
【００３１】
従って、上記実施の形態の食器洗浄装置１０によれば、次の効果▲１▼〜▲５▼を奏する。
【００３２】
▲１▼扉１８の縁部２９、３０に、面取り部３４が形成されたことから、扉１８の外側に取り付けられて扉１８の開閉時に使用される把手２６のコーナ部３６と扉１８の縁部２９、３０との隙間を大きく設定できるので、把手２６を把持して扉１８を開閉する操作者の手が、把手２６と扉１８との隙間に挟まれることが無く、扉１８開閉時の安全性を確保できる。
【００３３】
▲２▼扉１８の縁部２９、３０の面取り部３４が２回の折り曲げ加工により形成されたことから、この縁部２９、３０の強度が増大し、従って、従来の如く補強板を用いることなく扉１８全体の強度及び剛性を向上させることができる。
【００３４】
▲３▼本体１６の第一案内レール２１には、扉１８の第二転動ローラ３２が移動する領域の一部に、この第二転動ローラ３２を挿通可能な交換用穴３７が形成されたことから、扉１８を昇降させて、第二転動ローラ３２の位置を第一案内レール２１の交換用穴３７に一致させれば、この交換用穴３７を介して第二転動ローラ３２を交換できるので、扉１８を本体１６から取り外さなくても、第二転動ローラ３２の交換作業を容易に実施できる。
【００３５】
▲４▼交換用穴３７の中心が第二転動ローラ３２の中心とほぼ一致して形成されたことから、交換用穴３７の直径を、この第二転動ローラ３２の交換のために必要な最小の寸法に設定できると共に、この交換用穴３７を介しての交換作業を容易化できる。
【００３６】
▲５▼扉１８の第一転動ローラ３１を支持する支持軸２５が、本体１６の第一案内レール２１の切欠き部３８に嵌合して取り付けられ、この支持軸２５は、第一案内レール２１の切欠き部３８に嵌合可能な嵌合部４１が、隣接する位置決め部４０及びねじ部４２よりも小さな寸法Ｘに形成されたことから、支持軸２５を第一案内レール２１に取り付ける際に、支持軸２５における嵌合部４１以外の位置決め部４０及びねじ部４２がガイドとなって、支持軸２５の嵌合部４１を第一案内レール２１の切欠き部３８に導くので、支持軸２５の嵌合部４１をこの切欠き部３８に確実に嵌合させることができる。この結果、支持軸２５の嵌合部４１及びねじ部４２が第一案内レール２１の切欠き部３８に嵌合して、支持軸２５が第一案内レール２１に斜めに取り付けられ、ナット４５を用いた支持軸２５の取付後に、支持軸２５が第一案内レール２１から脱落するという不具合を確実に防止できる。
【００３７】
以上、本発明を上記実施の形態に基づいて説明したが、本発明はこれに限定されるものではない。
【００３８】
例えば、扉１８に形成された面取り部３４は、傾斜面３５ではなく湾曲面であってもよい。また、本体１６と扉１８との間に配設されて扉１８の昇降を円滑化する被案内部材は、第一転動ローラ３１、第二転動ローラ３２及び第三転動ローラ３３ではなく、スライダであってもよい。更に、本体１６の第一案内レール２１に取り付けられる支持軸２５の構造を、扉１８の第二案内レール２２に取り付けられる支持軸２３及び支持軸２４に適用してもよい。
【００３９】
【発明の効果】
以上のように、本発明に係る食器洗浄装置によれば、扉の縁部に面取り加工が施されたことから、扉開閉時の安全性を確保できる。
【図面の簡単な説明】
【図１】本発明に係る食器洗浄装置の一実施の形態を示し、（Ａ）が正面図、（Ｂ）が側面図である。
【図２】図１の食器洗浄装置を示す正面断面図である。
【図３】図２のＩＩＩ−ＩＩＩ線に沿う扉閉鎖時の側面断面図である。
【図４】扉を開放したときの図３に対応する側面断面図である。
【図５】図１の扉を示す斜視図である。
【図６】図１の扉を示す平面図である。
【図７】図４のＶＩＩ−ＶＩＩ線に沿う断面図である。
【図８】図３の第一案内レールを拡大して示す側面断面図である。
【図９】図８のＩＸ−ＩＸ線に沿う断面図である。
【図１０】図９の支持軸を示し、（Ａ）が側面図、（Ｂ）が正面図、（Ｃ）が図１０（Ｂ）のＸＣの矢視図である。
【図１１】従来の食器洗浄装置の扉を示す斜視図である。
【図１２】図１１の扉を示す平面図である。
【符号の説明】
１０  食器洗浄装置
１１  洗浄室
１６  本体
１８  扉
２６  把手
３０  縁部
３４  面取り部
３６  コーナ部
【図１】
0004086407.tif 000002
【図２】
0004086407.tif 000003
【図３】
0004086407.tif 000004
【図４】
0004086407.tif 000005
【図５】
0004086407.tif 000006
【図６】
0004086407.tif 000007
【図７】
0004086407.tif 000008
【図８】
0004086407.tif 000009
【図９】
0004086407.tif 000010
【図１０】
0004086407.tif 000011
【図１１】
0004086407.tif 000012
【図１２】
0004086407.tif 000013